(57)【要約】【課題】ホイール保護フィルム積層体等からホイール保護フィルムを１枚ずつ容易に剥離させることができるとともに、走行テスト中に延在部および本体部の一部が、ホイールから剥がれることを抑制することのできる、ホイール保護フィルムを提供する。【解決手段】  ホイール保護フィルム２は、基材１Ａと粘着層１Ｂとを備え、自動車のホイールに貼り付けられるホイール保護フィルムであって、外表面が粘着性を備え、ホイールに貼り付け可能な本体部１０と、外表面が非着性を備え、本体部の周縁の一部から径方向外方に延在する延在部２０と、延在部に設けられ、延在部の少なくとも一部を本体部から切り離し可能な脆弱部３０と、を有する。【選択図】図２
2018048263.tif 000002
【特許請求の範囲】
【請求項１】
基材と粘着層とを備え、自動車のホイールに貼り付けられるホイール保護フィルムであって、
外表面が粘着性を備え、前記ホイールに貼り付け可能な本体部と、
外表面が非着性を備え、前記本体部の周縁の一部から径方向外方に延在する延在部と、
前記延在部に設けられ、前記延在部の少なくとも一部を前記本体部から切り離し可能な脆弱部と、を有するホイール保護フィルム。
【請求項２】
前記延在部は、径方向の外方に向かって周方向の幅が小さくなるように構成されてなる請求項１に記載のホイール保護フィルム。
【請求項３】
前記延在部は、前記本体部の周縁に対して径方向の内方に凸となるように曲線状に連続する請求項１または２に記載のホイール保護フィルム。
【請求項４】
前記延在部は、有色の基材部を有する請求項１〜３のいずれか１項に記載のホイール保護フィルム。
【請求項５】
請求項１〜４のいずれか１項に記載のホイール保護フィルムが複数積層されてなるホイール保護フィルム積層体。
【請求項６】
前記ホイール保護フィルムは、前記基材の前記粘着層が設けられる側の面と反対側の面に設けられる剥離剤層をさらに有する請求項５に記載のホイール保護フィルム積層体。
【請求項７】
基材と粘着層とを備え、自動車のホイールに貼り付けられるホイール保護フィルムの製造方法であって、
外表面が粘着性を備え前記ホイールに貼り付け可能な本体部、および外表面が非着性を備え前記本体部の周縁の一部から径方向外方に延在する延在部を形成する工程と、
前記延在部に、前記延在部の少なくとも一部を前記本体部から切り離し可能な脆弱部を形成する工程と、を有するホイール保護フィルムの製造方法。
【請求項８】
前記延在部を形成する工程の前に、前記粘着層の前記基材が設けられる面と反対側の面に有色である基材部を貼り付ける工程をさらに有し、
前記基材部が前記延在部を構成するように前記延在部を形成する請求項７に記載のホイール保護フィルムの製造方法。
【請求項９】
先端が鈍角であって所定の間隔で離間する刃部を備えるプレス機によって、前記脆弱部を形成する請求項７または８に記載のホイール保護フィルムの製造方法。
【請求項１０】
請求項７〜９のいずれか１項に記載のホイール保護フィルムの製造方法によって製造された前記ホイール保護フィルムが複数積層されてなるホイール保護フィルム積層体の製造方法。
【発明の詳細な説明】
【技術分野】
【０００１】
本発明は、ホイール保護フィルム、ホイール保護フィルム積層体、ホイール保護フィルムの製造方法、およびホイール保護フィルム積層体の製造方法に関する。
【背景技術】
【０００２】
従来から、顧客に納品される前の自動車において、ホイールの傷付きを防止したり、ホイールに形成された開口部からの雨水等の浸入に起因するブレーキディスクの錆の発生を防止したりするために、保護フィルムによってホイールが覆われている。
【０００３】
このようなホイール保護フィルムは、一般的に複数積層されてホイール保護フィルム積層体を構成しており、ホイールに貼り付ける際にホイール保護フィルム積層体からホイール保護フィルムを１枚ずつ剥離させている。よって、ホイール保護フィルム積層体からホイール保護フィルムを容易に剥離させることが求められている。
【０００４】
これに関連して、例えば下記の特許文献１には、自動車のホイール表面を覆う覆い部（本体部に相当）の周縁の一部から張り出し形成されるめくり片（延在部に相当）を備える粘着フィルムの積層体が開示され、積層方向に隣接するめくり片は互いに非着面同士が対向するように構成されている。このように構成された粘着フィルム積層体によれば、めくり片を把持して、積層体から各粘着フィルムを１枚ずつ容易に剥離させることができる。
【先行技術文献】
【特許文献】
【０００５】
【特許文献１】特開２０１３−１０７９６９号公報
【発明の概要】
【発明が解決しようとする課題】
【０００６】
ところで、一般的に、生産した後の自動車は、所定の走行テストが行われる。この走行テスト中に、ホイールの内外から風圧を受けるため、ホイールに対して非着状態の延在部がばたついて、延在部および本体部の境界を起点にして、本体部側に切れ目が生じ、延在部および本体部の一部が、ホイールから剥がれてしまう虞がある。この結果、上述したホイールの傷付き、ブレーキディスクの錆の発生が生じる、または走行テスト後に、残ったホイール保護フィルムをホイールから剥がすことが困難になってしまうなどの問題点が生じる。
【０００７】
本発明は、上記事情に鑑みてなされたものであり、ホイール保護フィルム積層体等からホイール保護フィルムを１枚ずつ容易に剥離させることができるとともに、走行テスト中に延在部および本体部の一部が、ホイールから剥がれることを抑制することのできる、ホイール保護フィルム、ホイール保護フィルム積層体、ホイール保護フィルムの製造方法、およびホイール保護フィルム積層体の製造方法を提供することを目的とする。
【課題を解決するための手段】
【０００８】
上記目的を達成する本発明に係るホイール保護フィルムは、基材と粘着層とを備え、自動車のホイールに貼り付けられるホイール保護フィルムであって、外表面が粘着性を備え、前記ホイールに貼り付け可能な本体部と、外表面が非着性を備え、前記本体部の周縁の一部から径方向外方に延在する延在部と、前記延在部に設けられ、前記延在部の少なくとも一部を前記本体部から切り離し可能な脆弱部と、を有する。
【０００９】
また、上記目的を達成する本発明に係るホイール保護フィルムの製造方法は、基材と粘着層とを備え、自動車のホイールに貼り付けられるホイール保護フィルムの製造方法であって、外表面が粘着性を備え前記ホイールに貼り付け可能な本体部、および外表面が非着性を備え前記本体部の周縁の一部から径方向外方に延在する延在部を形成する工程と、前記延在部に、前記延在部の少なくとも一部を前記本体部から切り離し可能な脆弱部を形成する工程と、を有する。
【発明の効果】
【００１０】
本発明によれば、本体部の周縁の一部から径方向外方に延在する延在部を有するため、作業者は延在部を把持して、ホイール保護フィルム積層体等からホイール保護フィルムを１枚ずつ容易に剥離させることができる。また、ホイールにホイール保護フィルムを貼り付けた後に、脆弱部を千切って、延在部の少なくとも一部を本体部から切り離すことができる。したがって、延在部の面積が小さくなるために走行テスト中における延在部のばたつきを低減することができ、走行テスト中に延在部および本体部の一部が、ホイールから剥がれることを抑制することができる。
【図面の簡単な説明】
【００１１】
【図１】第１実施形態に係るホイール保護フィルム積層体を示す上面図である。
【図２】図１のＩＩ−ＩＩ線に沿う断面図である。
【図３】基材の下側の面に剥離剤層を形成し、基材の上側の面に粘着層を形成する工程を示す図である。
【図４】粘着層の表面にテープ部材を貼り付ける工程を示す図である。
【図５】ロール状に巻回された第２形成体を径方向の内方に向けて切断する様子を示す図である。
【図６】図５において切断された第２形成体を展開した図である。
【図７】図６の７−７線に沿う断面図である。
【図８】本体部および延在部を形成する工程を示す図である。
【図９】本体部および延在部が形成された第３形成体を示す斜視図である。
【図１０】脆弱部を形成する工程を示す図である。
【図１１】ホイール保護フィルム積層体を示す斜視図である。
【図１２】ホイール保護フィルムから、脆弱部を千切った様子を示す上面図である。
【図１３】第２実施形態に係るホイール保護フィルム積層体の図２に対応する図である。
【図１４】第２実施形態に係るホイール保護フィルム積層体の製造方法の図６に対応する図である。
【図１５】図１４の１５−１５線に沿う断面図である。
【図１６】第２実施形態に係るホイール保護フィルム積層体の製造方法の図８に対応する図である。
【発明を実施するための形態】
【００１２】
以下、添付した図面を参照して、本発明の実施形態を説明する。なお、図面の説明において、同一の要素には同一の符号を付し、重複する説明を省略する。また、図面の寸法比率は、説明の都合上誇張されており、実際の比率とは異なる場合がある。
【００１３】
＜第１実施形態＞
ホイール保護フィルム積層体１は、ホイール保護フィルム２が複数積層されて構成する。ホイール保護フィルム２が積層される枚数は特に限定されないが、例えば２０〜３０枚である。
【００１４】
ホイール保護フィルム２は、自動車のホイールに貼り付けられる。ホイール保護フィルム２は、図１および図２に示すように、本体部１０と、延在部２０と、脆弱部３０と、を有する。
【００１５】
本体部１０は、図２の上側の外表面１０Ａが粘着性を備える。本体部１０は、粘着性を備える外表面１０Ａが自動車のホイールに貼り付けられる。本実施形態において、本体部１０は円形形状に構成される。
【００１６】
本体部１０は、図２に示すように、基材１Ａと、粘着層１Ｂと、剥離剤層１Ｃと、を有する。
【００１７】
延在部２０は、外表面２０Ａ、２０Ｂが非着性を備える。このため、ホイール保護フィルム２が複数積層されてホイール保護フィルム積層体１を構成した状態で、積層方向に隣接する延在部２０同士は互いに非着状態となる。作業者は、延在部２０を把持して、ホイール保護フィルム積層体１からホイール保護フィルム２を１枚ずつ容易に剥離させることができる。
【００１８】
延在部２０は、本体部１０がホイールに貼り付けられた状態で、ホイールに対して非着状態となる。
【００１９】
延在部２０は、図１に示すように、径方向の外方に向かって周方向の幅が小さくなるように構成されている。換言すれば、延在部２０は、本体部１０から離間するにつれて幅が小さくなるように構成されている。また、延在部２０は、本体部１０の周縁に対して径方向の内方に凸となるように曲線状に連続する（図１の符号Ａ参照）。延在部２０は上述した構成を備えるため、延在部が本体部１０から離間するにつれて幅が大きくなる構成、または本体部１０の周縁に対して曲線状に連続しない構成と比較して、テスト走行中において、延在部２０および本体部１０の境界を起点にして本体部１０側に切れ目が生じることをより抑制することができる。
【００２０】
延在部２０は、図２に示すように、基材１Ａと、粘着層１Ｂと、剥離剤層１Ｃと、接着剤層１Ｄと、基材部１Ｅと、を有する。
【００２１】
本体部１０を構成する基材１Ａおよび延在部２０を構成する基材１Ａは一体的に構成されている。また、本体部１０を構成する粘着層１Ｂおよび延在部２０を構成する粘着層１Ｂは一体的に構成されている。また、本体部１０を構成する剥離剤層１Ｃおよび延在部２０を構成する剥離剤層１Ｃは一体的に構成されている。
【００２２】
基材１Ａは、柔軟なフィルムによって形成されている。基材１Ａを形成する材料は、例えば、ポリエチレン、ポリプロピレン、ポリ塩化ビニル、ポリウレタン、ポリエチレンテレフタレート等であるが、これらに限定されない。基材１Ａの厚みは、例えば、２０μｍ〜２００μｍであり、好ましくは、３０〜１００μｍであるが、これらに限定されない。
【００２３】
粘着層１Ｂは、基材１Ａの一方の面に設けられている。粘着層１Ｂは、例えば、粘着剤によって形成されている。ここで粘着剤は、例えば、天然ゴム系粘着剤、合成ゴム系粘着剤、アクリル系粘着剤、ウレタン系粘着剤、シリコーン系粘着剤等であるが、これらに限定されない。粘着層１Ｂの厚みは、例えば、１〜３００μｍであり、好ましくは２〜１５０μｍであり、特に好ましくは５〜１００μｍであるが、これらに限定されない。
【００２４】
剥離剤層１Ｃは、基材１Ａの粘着層１Ｂが設けられる側の面と反対側の面に設けられる。剥離剤としては、具体的には、シリコーン系剥離剤、長鎖アルキル系剥離剤、フッ素系剥離剤、ゴム系剥離剤などが挙げられる。なかでも、柔軟な基材に塗布することができる観点から、長鎖アルキル系剥離剤であることが好ましい。剥離剤層の厚みとしては、剥離剤としての機能を発揮させるために、５０〜５００ｎｍであることが好ましい。
【００２５】
接着剤層１Ｄは、粘着層１Ｂと同様の材料を用いることができる。接着剤層１Ｄの厚みは、例えば、５〜３０μｍであり、好ましくは５〜２０μｍであるが、これらに限定されない。
【００２６】
基材部１Ｅは、有色のフィルムを用いることができる。基材部１Ｅは、基材１Ａと同様の材料を用いることができる。基材部１Ｅの厚みは、例えば、５〜１００μｍであり、好ましくは１０〜５０μｍであるが、これらに限定されない。基材部１Ｅの色としては、例えば青色であるが、これに限定されない。このように、基材部１Ｅが有色であるため、延在部２０の視認性が向上し、延在部２０の位置を確認しやすい。
【００２７】
脆弱部３０は、延在部２０に設けられる。脆弱部３０は、延在部２０の一部を本体部１０から切り離すことができるように構成されている。すなわち、脆弱部３０を千切ることによって所定の領域だけ延在部２０が残る（図１２参照）。本実施形態において、脆弱部３０は、図１および図２に示すように、切込み線によって構成されている。脆弱部３０が設けられる位置は、延在部２０であれば特に限定されないが、延在部２０のうち、径方向の中央近傍に設けられることが好ましい。このように延在部２０のうち径方向の中央近傍に脆弱部３０が設けられることによって、ホイールにホイール保護フィルム２を張り付けた後に、脆弱部３０を千切って延在部２０の一部を本体部１０から切り離した際、所定の幅だけ延在部２０が残る。したがって、顧客への自動車の納品時にホイールからホイール保護フィルム２を剥離する際に、所定の幅だけ残った延在部２０を把持して容易に剥離を行うことができる。また、脆弱部３０を千切ることによって延在部２０の面積が小さくなるために、走行テスト中における延在部２０のばたつきを低減することができ、走行テスト中に延在部２０および本体部１０の一部が、ホイールから剥がれることを抑制することができる。
【００２８】
次に、図３〜図１１を参照して、第１実施形態に係るホイール保護フィルム積層体１の製造方法について説明する。
【００２９】
まず、図３に示すように、第１のロール体１１０に巻回されロール状の基材１Ａを引き出しつつ、基材１Ａの下側の面に剥離剤を塗布する。剥離剤の塗布は、剥離剤塗布手段１２０によって行われる。剥離剤塗布手段１２０としては、公知のグラビア、マイヤーバー等を用いることができる。
【００３０】
次に、剥離剤塗布手段１２０によって塗布された剥離剤の乾燥を行う。剥離剤の乾燥は、乾燥手段１３０によって行われる。乾燥手段１３０としては、公知の熱風、赤外線等を用いることができる。基材１Ａの下側の面に塗布された剥離剤が乾燥することによって、基材１Ａの下側の面には、剥離剤層１Ｃが形成される。
【００３１】
次に、基材１Ａの上側の面に粘着剤を塗布する。粘着剤の塗布は、粘着剤塗布手段１４０によって行われる。粘着剤塗布手段１４０としては、公知のダイ、ロール、ブレード等を用いることができる。なお、粘着剤は、図３に示すように、基材１Ａが搬送する方向に対して直交する方向（幅方向）の両端に露出部Ｅを残すように塗布される。
【００３２】
次に、粘着剤塗布手段１４０によって塗布された粘着剤の乾燥を行う。粘着剤の乾燥は、乾燥手段１５０によって行われる。乾燥手段１５０としては、乾燥手段１３０と同様に、公知の熱風、赤外線等を用いることができる。基材１Ａの上側の面に塗布された粘着剤が乾燥することによって、基材１Ａの上側の面には、粘着層１Ｂが形成する。
【００３３】
次に、基材１Ａの下側の面に剥離剤層１Ｃ、上側の面に粘着層１Ｂが形成された第１形成体Ｆ１を、第２のロール体１６０に巻き取る。
【００３４】
次に、図４に示すように、第２のロール体１６０に巻回された第１形成体Ｆ１を、第３のロール体１７０に巻き取る。第３のロール体１７０の外径は、第２のロール体１６０の外径よりも大きく構成されている。
【００３５】
また、第１形成体Ｆ１を第３のロール体１７０に巻き付けるのに伴って、第４のロール体１８０に巻回されたテープ部材Ｔを第１形成体Ｆ１のうち粘着層１Ｂ側に貼り付ける。テープ部材Ｔは、接着剤層１Ｄおよび基材部１Ｅによって形成される。接着剤層１Ｄを貼着面としてテープ部材Ｔを第１形成体Ｆ１に貼り付けることによって、第２形成体Ｆ２が形成される。第２形成体Ｆ２は、第３のロール体１７０に、所定の数だけ巻き付けられる。第２形成体Ｆ２を第３のロール体１７０に巻き付ける数は、上述したホイール保護フィルム積層体１を構成するホイール保護フィルム２の枚数に相当する。
【００３６】
次に、図５に示すように、切断部材１９０によって、第３のロール体１７０に所定の数だけ巻き付けられた第２形成体Ｆ２を、径方向の内方に向けて切断する。切断部材１９０は、図５に示すように、先端に鋭利な刃１９０Ａを備える。これによって、第３のロール体１７０に所定の数だけ巻き付けられた第２形成体Ｆ２は、周方向の一部が切断される。
【００３７】
次に、図６、図７に示すように、周方向の一部が切断され所定の数だけ巻回された第２形成体Ｆ２を巻回状態が解除するように展開する。このとき、第２形成体Ｆ２は、図６の上下方向に所定の数だけ積層された構成を備える。また、第２形成体Ｆ２は、図７に示すように、第１形成体Ｆ１（基材１Ａ、剥離剤層１Ｃ、および粘着層１Ｂ）の上面にテープ部材Ｔ（接着剤層１Ｄ、および基材部１Ｅ）が貼り付けられた構成となっている。
【００３８】
次に、図８に示すように、所定の数だけ積層された第２形成体Ｆ２に対して、第１プレス機２００によって、本体部１０および延在部２０を形成するように、プレス加工を行う。第１プレス機２００は、本体部１０および延在部２０の形状に対応するように構成された刃２０１が６つ形成されている。図８に示すように、本体部１０は、基材１Ａ、剥離剤層１Ｃ、および粘着層１Ｂが積層されている箇所から切りだされ、延在部２０は、基材１Ａ、剥離剤層１Ｃ、粘着層１Ｂ、接着剤層１Ｄ、および基材部１Ｅが積層されている箇所から切りだされる。この結果、図９に示すように、所定の数だけ積層された第３形成体Ｆ３が６セットだけ形成する。第３形成体Ｆ３は、図９に示すように、本体部１０および延在部２０が形成されており、脆弱部３０が未形成である。
【００３９】
次に、図１０に示すように、所定の数だけ積層された第３形成体Ｆ３に対して、第２プレス機２１０（プレス機に相当）によって延在部２０に脆弱部３０を形成する。第２プレス機２１０は、先端が鈍角であって所定の間隔で離間する刃部２１１を複数備える。このように構成された刃部２１１を用いて、脆弱部３０すなわち切込み線を形成することによって、刃部の先端が鋭角である構成と比較して、所定の数だけ積層された第３形成体Ｆ３に対して、積層方向に均一な切込み線を形成することができる。そして、図１１に示すように、切込み線である脆弱部３０が形成されたホイール保護フィルム積層体１が製造される。
【００４０】
次に、図１２を参照して、本実施形態に係るホイール保護フィルム積層体１およびホイール保護フィルム２の使用方法について説明する。
【００４１】
まず作業者は、延在部２０を把持して、ホイール保護フィルム積層体１からホイール保護フィルム２を１枚ずつ剥離する。このとき、ホイール保護フィルム２は、剥離剤層１Ｃが形成されているため、容易に剥離することができる。
【００４２】
そして作業者は、ホイール保護フィルム２を、ホイールに貼り付ける。このときホイール保護フィルム２の粘着層１Ｂ側をホイールに貼り付ける。なお、ホイール全面を覆うように、タイヤに一部を貼着してもよい。
【００４３】
そして作業者は、図１２に示すように、脆弱部３０を千切って、延在部２０の一部を本体部１０から切り離す。このように延在部２０の一部が本体部１０から切り離された状態で走行テストが行われるため、走行テスト中における延在部２０のばたつきを低減することができ、走行テスト中に延在部２０および本体部１０の一部が、ホイールから剥がれることを抑制することができる。
【００４４】
以上説明したように、本実施形態に係るホイール保護フィルム２は、基材１Ａと粘着層１Ｂとを備え、自動車のホイールに貼り付けられる。ホイール保護フィルム２は、外表面１０Ａが粘着性を備え、ホイールに貼り付け可能な本体部１０と、外表面２０Ａ、２０Ｂが非着性を備え、本体部１０の周縁の一部から径方向外方に延在する延在部２０と、延在部２０に設けられ、延在部２０の少なくとも一部を本体部１０から切り離し可能な脆弱部３０と、を有する。
【００４５】
このように構成されたホイール保護フィルム２によれば、本体部１０の周縁の一部から径方向外方に延在する延在部２０を有するため、作業者は延在部２０を把持して、ホイール保護フィルム積層体１からホイール保護フィルム２を１枚ずつ容易に剥離させることができる。また、ホイールにホイール保護フィルム２を貼り付けた後に、脆弱部３０を千切って、延在部２０の一部を本体部１０から切り離すことができる。したがって、延在部２０の面積が小さくなるために走行テスト中における延在部２０のばたつきを低減することができ、走行テスト中に延在部２０および本体部１０の一部が、ホイールから剥がれることを抑制することができる。
【００４６】
また、延在部２０は、径方向の外方に向かって周方向の幅が小さくなるように構成されてなる。このため、延在部が径方向の外方に向かって周方向の幅が大きくなる構成と比較して、テスト走行中において、延在部２０および本体部１０の境界を起点にして本体部１０側に切れ目が生じることを抑制することができる。
【００４７】
また、延在部２０は、本体部１０の周縁に対して径方向の内方に凸となるように曲線状に連続する。このため、延在部が本体部１０の周縁に対して曲線状に連続しない構成と比較して、テスト走行中において、延在部２０および本体部１０の境界を起点にして本体部１０側に切れ目が生じることを抑制することができる。
【００４８】
また、延在部２０は、有色の基材部１Ｅを有する。このため、延在部２０の視認性が向上し、延在部２０の位置を確認しやすい。
【００４９】
また、ホイール保護フィルム２は、基材１Ａの粘着層１Ｂが設けられる側の面と反対側の面に設けられる剥離剤層１Ｃをさらに有する。このため、ホイール保護フィルム積層体１からホイール保護フィルム２を１枚ずつ剥離する際に、容易に剥離することができる。
【００５０】
また、以上説明したように、本実施形態に係るホイール保護フィルム２の製造方法は、基材１Ａと粘着層１Ｂとを備え、自動車のホイールに貼り付けられるホイール保護フィルム２の製造方法である。ホイール保護フィルム２の製造方法は、本体部１０および延在部２０を形成する工程と、延在部２０に、延在部２０の一部を本体部１０から切り離し可能な脆弱部３０を形成する工程と、を有する。この製造方法によって製造されたホイール保護フィルム２によれば、走行テスト中における延在部２０のばたつきを低減することができ、走行テスト中に延在部２０および本体部１０の一部が、ホイールから剥がれることを抑制することができる。
【００５１】
また、延在部２０を形成する工程の前に、粘着層１Ｂの基材１Ａが設けられる面と反対側の面に有色である基材部１Ｅを貼り付ける工程をさらに有し、基材部１Ｅが延在部２０を構成するように延在部２０を形成する。この製造方法によれば、延在部２０が有色となるため、延在部２０の視認性が向上し、延在部２０の位置を確認しやすい。
【００５２】
また、先端が鈍角であって所定の間隔で離間する刃部２１１を備える第２プレス機２１０によって、脆弱部３０を形成する。このように構成された刃部２１１を用いて、脆弱部３０すなわち切込み線を形成することによって、刃部の先端が鋭角である構成と比較して、所定の数だけ積層された第３形成体Ｆ３に対して、積層方向に均一な切込み線を形成することができる。
【００５３】
＜第２実施形態＞
次に、図１３〜図１６を参照して、本発明の第２実施形態について説明する。
【００５４】
第２実施形態に係るホイール保護フィルム４は、第１実施形態に係るホイール保護フィルム２と比較して、延在部２２０の構成の点において相違する。
【００５５】
第２実施形態に係るホイール保護フィルム積層体３は、図１３に示すように、第２実施形態に係るホイール保護フィルム４が複数積層されて構成する。第２実施形態に係るホイール保護フィルム積層体３の外観は、図１に示す第１実施形態に係るホイール保護フィルム積層体１と略同一である。
【００５６】
第２実施形態に係るホイール保護フィルム４は、図１３に示すように、本体部１０と、延在部２２０と、脆弱部３０と、を有する。本体部１０は上述した第１実施形態と同様の構成を備える。
【００５７】
延在部２２０は、図１３に示すように、外表面２２０Ａ、２２０Ｂが非着性を備える。延在部２２０は、基材１Ａおよび剥離剤層１Ｃからなる。脆弱部３０は延在部２２０に設けられる。
【００５８】
次に、図１４〜図１６を参照して、第２実施形態に係るホイール保護フィルム積層体３の製造方法について説明する。第２実施形態に係るホイール保護フィルム積層体３の製造方法は、上述した第１実施形態に係るホイール保護フィルム積層体１の製造方法と比較して、第１形成体Ｆ１に対して第４のロール体１８０に巻回されたテープ部材Ｔ（図４参照）を貼り付けない点において相違する。
【００５９】
このため、第３のロール体１７０（図４参照）には、第１形成体Ｆ１（基材１Ａ、剥離剤層１Ｃ、および粘着層１Ｂ）が巻き付けられる。
【００６０】
そして、切断部材１９０によって、第３のロール体１７０に所定の数だけ巻き付けられた第１形成体Ｆ１を、径方向の内方に向けて切断し（図５参照）、図１４に示すように、周方向の一部が切断され所定の数だけ巻回された第１形成体Ｆ１を巻回状態が解除するように展開する。このとき、第１形成体Ｆ１は、図１５に示すように、露出部Ｅが露出するように粘着層１Ｂが基材１Ａの上側の面に形成されている。
【００６１】
次に、図１６に示すように、所定の数だけ積層された第１形成体Ｆ１に対して、第３プレス機３００によって、本体部１０および延在部２２０を形成するように、プレス加工を行う。第３プレス機３００は、本体部１０および延在部２２０の形状に対応するように構成された刃３０１が６つ形成されている。図１６に示すように、本体部１０は、基材１Ａ、剥離剤層１Ｃ、および粘着層１Ｂが積層されている箇所から切りだされ、延在部２２０は、基材１Ａおよび剥離剤層１Ｃが積層されている箇所（露出部Ｅが形成されている箇所）から切りだされる。この結果、脆弱部３０が未形成のホイール保護フィルム積層体３が出来上がる。
【００６２】
次に、上述した第１実施形態と同様に、第２プレス機２１０によって延在部２２０に脆弱部３０を形成する（図１０参照）。
【００６３】
第２実施形態に係るホイール保護フィルム積層体３の使用方法は、第１実施形態に係るホイール保護フィルム積層体１の使用方法と同様であるため、説明は省略する。
【００６４】
以上説明した第２実施形態に係るホイール保護フィルム４によれば、基材部１Ｅが設けられないため、製造が容易となるとともに、安価なホイール保護フィルムを提供することができる。
【００６５】
以上、実施形態を通じて本発明に係るホイール保護フィルムを説明したが、本発明は実施形態および変形例において説明した構成のみに限定されることはなく、特許請求の範囲の記載に基づいて適宜変更することが可能である。
【００６６】
例えば、上述した第１実施形態では、延在部２０は径方向の外方に向かって周方向の幅が小さくなるように構成された。また、延在部２０は、本体部１０の周縁に対して径方向の内方に凸となるように曲線状に連続した。しかしながら、延在部の構成は、外表面が非着性を備え、前記本体部の周縁の一部から径方向外方に延在している限りにおいて、限定されない。
【００６７】
また、上述した第１実施形態では、第１プレス機２００および第２プレス機２１０は別構成であったが、１つのプレス機から構成されていてもよい。このとき、プレス加工の工程が１回となるため、製造工程が簡素化される。
【００６８】
また、上述した第１、第２実施形態では、基材１Ａの一方の面に剥離剤層１Ｃが形成されていたが、剥離剤層１Ｃが形成されていなくてもよい。
【００６９】
また、上述した第１実施形態では、ホイール保護フィルム２の延在部２０は、接着剤層１Ｄを有していたが、接着剤層１Ｄを有していなくてもよい。
【００７０】
また、上述した第１、第２実施形態では、ロール搬送を行うことによってホイール保護フィルム積層体１を製造した。しかしながら、ホイール保護フィルムを１枚ずつ製造して、製造されたホイール保護フィルムを複数積層して、ホイール保護フィルム積層体を製造してもよい。
【００７１】
また、上述した第１、第２実施形態では、本体部１０は円形形状に形成された。しかしながら、本体部１０の形状は特に限定されず、ホイールを覆ってホイールの開口部を塞ぐことができればよい。
【００７２】
また、上述した実施形態では、脆弱部３０は、延在部２０の一部を本体部１０から切り離し可能に構成された。しかしながら、脆弱部は、延在部２０の全体を本体部１０から切り離し可能に構成されてもよい。
【００７３】
また、上述した実施形態では、脆弱部３０は、切込み線によって構成された。しかしながら、脆弱部は、延在部２０の他の部位よりも薄肉である薄肉部から構成されてもよい。
【００７４】
また、上述した第１実施形態では、図３に示すように、第１形成体Ｆ１を第２のロール体１６０に巻き取る際に、剥離剤層１Ｃが内面に位置するように巻き取られたが、粘着層１Ｂが内面に位置するように巻き取られてもよい。さらに、図４に示す工程において、第１形成体Ｆ１は第２のロール体１６０から粘着層１Ｂが上面に位置するように巻き出され、第２形成体Ｆ２は第３のロール体１７０に対して粘着層１Ｂが内面に位置するように巻き取られてもよい。このように、第２のロール体１６０および第３のロール体１７０に対して粘着層１Ｂが内面に位置するように巻き取られる場合、ゴミなどが第１形成体Ｆ１または第２形成体Ｆ２の表面に接触し難くなるため好ましい。また、第２のロール体１６０および第３のロール体１７０を作業者が把持する際に、作業者の手に粘着しないため、作業性が向上する。また、上記のように第３のロール体１７０に対して巻き取られた第２形成体Ｆ２によれば、図６に示すように第２形成体Ｆ２を展開した際に、剥離剤層１Ｃが表面に形成される。このため、図８に示す第１プレス機２００によってプレス加工を行う際に、剥離剤層１Ｃ側に刃２０１が接触されるため、粘着層１Ｂ側に刃２０１を接触する場合と比較して、容易にプレス加工を行うことができる。
【符号の説明】
【００７５】
１、３    ホイール保護フィルム積層体、
２、４    ホイール保護フィルム、
１Ａ    基材、
１Ｂ    粘着層、
１Ｃ    剥離剤層、
１Ｄ    接着剤層、
１Ｅ    基材部、
１０    本体部、
１０Ａ    本体部の外表面、
２０、２２０    延在部、
２０Ａ、２０Ｂ、２２０Ａ、２２０Ｂ    延在部の外表面、
３０    脆弱部、
２００    第１プレス機、
２１０    第２プレス機（プレス機）、
２１１    刃部。
【図１】
2018048263.tif 000003
【図２】
2018048263.tif 000004
【図３】
2018048263.tif 000005
【図４】
2018048263.tif 000006
【図５】
2018048263.tif 000007
【図６】
2018048263.tif 000008
【図７】
2018048263.tif 000009
【図８】
2018048263.tif 000010
【図９】
2018048263.tif 000011
【図１０】
2018048263.tif 000012
【図１１】
2018048263.tif 000013
【図１２】
2018048263.tif 000014
【図１３】
2018048263.tif 000015
【図１４】
2018048263.tif 000016
【図１５】
2018048263.tif 000017
【図１６】
2018048263.tif 000018